(57)【要約】    【課題】  照明器具に用いて、光装飾効果等の点で意匠性が高く、曲面からなる造形を構成しやすいシェード構造を提供すること。    【解決手段】  シェード構造１０は、照明のための光源または採光のための光源からの光を遮光あるいは、透過光量の制限された透光をするものであって、切削加工等により形成される光を透す部分である透光性部Ｔ１、Ｔ２、Ｔ３等と、切削されずに残る光を透さない部分である非透光性部Ｎ１、Ｎ２等とを有する一枚の板状材料５から構成する。【選択図】  図１
2005216836.tif 000002
【特許請求の範囲】
【請求項１】
照明のための光源または採光のための光源からの光を遮光あるいは透過光量の制限された光透過をすることのできるシェード構造であって、該シェード構造は、光を透す部分である透光性部と、光を透さない部分である非透光性部とを有する一枚の板状材料からなることを特徴とする、シェード構造。
【請求項２】
前記板状材料において前記透光性部は、その断面厚さが前記非透光性部の断面厚さと比べて小さく、すなわち薄く形成されていることにより透光性を呈することを特徴とする、請求項１に記載のシェード構造。
【請求項３】
前記材質の如何に応じ、前記透光性部における板状材料の薄さは、該透光性部において該板状材料を撓ませるのに充分な薄さであることを特徴とする、請求項２に記載のシェード構造。
【請求項４】
前記板状材料は木材であることを特徴とする、請求項１ないし３のいずれかに記載のシェード構造。
【請求項５】
板状材料の表面において、前記透光性部および前記非透光性部とする領域を画定し、これに基づいて切削加工により該透光性部を形成することにより前記シェード構造を得ることを特徴とする、シェード構造製造方法。
【発明の詳細な説明】
【技術分野】
【０００１】
本発明はシェード構造およびその製造方法に係り、特に照明器具に用いて、光装飾効果等の点で意匠性が高く、曲面からなる造形を構成しやすいシェード構造およびその製造方法に関する。
【背景技術】
【０００２】
電気スタンド等の照明器具には従来、さまざまなシェードが用いられている。対象照明器具としては電気スタンド、天井面や壁面に取り付ける器具等、シェードの材料としては合成樹脂、紙、布、ガラス、陶磁器、その他のセラミックス等、その形状としては笠型、照明灯の全面を被覆する型のもの等、シェードの表面状態としては平坦な物、孔部を設けたもの、透かしの図柄を設けたもの等があり、用途や状況に応じて照明器具としての実用性とインテリアとしての装飾性（意匠性）が適宜のバランスで発揮され得るような構成が、各種多様に提供されている。
【０００３】
シェードについて、従来どのような提案が特許出願等によりなされているかを広く知るため、特許庁ホームページ上の特許電子図書館（ＩＰＤＬ）の、特許実用新案公報テキスト検索メニューを用い、下記条件にて先行技術調査を行った。
検索式：
｛要約＋特許請求の範囲＝（光源ｏｒ照明）｝ａｎｄ（発明の名称＝シェード）
検索対象：公開特許、公開実用新案、特許、実用新案の各公報。
検索結果：
公開特許公報  ヒット件数１９件
公開実用新案公報  ヒット件数１１件
特許公報  ヒット件数２件
実用新案公報  ヒット件数２件   のべ３４件
【０００４】
このうち、特開２００２−８３５１０号公報に開示の「スポンジ状多孔質シェード照明器具」（特許文献１）は、光源の周囲をスポンジ状の多孔質構造で囲む構成により、照明器具として美的かつ斬新な効果が得られるとする。また、特開平１０−３２１０２２号公報に開示の「照明器具用シェードカバーの製造方法」（特許文献２）は、シェード枠体に接着剤を塗布する作業等を省略し、かつ光透過性の調節を可能とすることを目的として、透明または半透明のプラスチックシートをシェードカバー用基体に成形し、接着材を含む水性エマルジョンに繊維質を分散させた水性スラリーを製作し、これにシェードカバー基体を浸漬等する方法を提案している。
【０００５】
照明器具における意匠性を追求することによってその製品・商品価値を高めるには、材料面においても多様・斬新なアプローチ、またその加工・造形方法においても新規なるアプローチを行うことが有効である。これと関連して、たとえば材料として木材等の天然素材を用いて光透過性の板等を提案するものとしては、従来、木材を薄くスライスしたものと、その強度を補強するための異種材料とを合わせて板を構成する等の方法がある（後掲の特許文献３、４）。
【０００６】
【特許文献１】特開２００２−８３５１０号公報。「スポンジ状多孔質シェード照明器具」。要約。特許請求の範囲。図２。
【特許文献２】特開平１０−３２１０２２号公報。「照明器具用シェードカバーの製造方法」。要約。特許請求の範囲。図１。
【特許文献３】特開２００２−１４４４８３号公報。「透光性木目付化粧板及び内部照明 型家具」。要約。特許請求の範囲。図３。
【特許文献４】特開平８−２６７６６７号公報。「天然木質光透過性素材及びそれを用いた構造体」。要約。特許請求の範囲。図３。
【発明の開示】
【発明が解決しようとする課題】
【０００７】
しかしシェードの、照射される光に対する透光性の如何により発揮される意匠性に着目してなされた従来の提案（特許文献１、２）においては、シェードは合成樹脂等の人工的な均質性材料を単独でまたは他の材料と複合させることによって構成することとしている。照明器具における意匠性追求により製品・商品価値を高めるには、材料面、加工・造形方法における新規なアプローチが有効であることは上述のとおりであるが、たとえば材料として木材等の天然素材を、木目などそれが有する独特の美観をそのまま活かすことのできる材料として採用し、シェードにおける透光性およびそれによる意匠性の提供、さらにはシェード全体の形状における曲面形成等の造形を、より簡易な製造過程によって行う提案は、いまだなされていない。
【０００８】
特許文献３、４に開示されるように、従来、木材に光を透過させるためには木材を薄くスライスしたものを用いるが、これだけでは強度が出ないので、これに光透過性を持つ異種素材を組み合わせた素材としている。このため、何らかの形状が現れるように光を透過させることによって意匠性、装飾性を発揮させたい場合は、たとえばその形状をくりぬいた非透過性素材と組み合わせる等の処理をしなくてはならなかった。
【０００９】
本発明は、これら従来技術の状況を踏まえ、照明器具に用いて、光装飾効果等の点で意匠性が高く、曲面からなる造形を構成しやすいシェード構造、およびその簡易な製造方法を提供することを課題とする。
【課題を解決するための手段】
【００１０】
上記課題を解決するために本願発明者が鋭意検討した結果、木材等の板状材料の表面において、光を透す部分である透光性部、および非透光性部とする領域を画定し、これに対し切削加工を用いることにより、上記課題を解決し得ることを見出し、本発明に至った。すなわち、本願において特許請求される発明は以下のとおりである。
【００１１】
（１）  照明のための光源または採光のための光源からの光を遮光あるいは透過光量の制限された光透過をすることのできるシェード構造であって、該シェード構造は、光を透す部分である透光性部と、光を透さない部分である非透光性部とを有する一枚の板状材料からなることを特徴とする、シェード構造。
（２）  前記板状材料において前記透光性部は、その断面厚さが前記非透光性部の断面厚さと比べて小さく、すなわち薄く形成されていることにより透光性を呈することを特徴とする、（１）に記載のシェード構造。
（３）  前記材質の如何に応じ、前記透光性部における板状材料の薄さは、該透光性部において該板状材料を撓ませるのに充分な薄さであることを特徴とする、（２）に記載のシェード構造。
（４）  前記板状材料は木材であることを特徴とする、（１）ないし（３）のいずれかに記載のシェード構造。
（５）  板状材料の表面において、前記透光性部および前記非透光性部とする領域を画定し、これに基づいて切削加工により該透光性部を形成することにより前記シェード構造を得ることを特徴とする、シェード構造製造方法。
（６）  照明のための光源と、（１）ないし（４）のいずれかに記載のシェード構造を有するシェードとを備えてなることを特徴とする、照明器具。
【００１２】
本発明においてシェード構造とは、照明のための光源または採光のための光源からの光を遮光あるいは透過光量の制限された光透過をすることのできる構造
であるが、そのような構造である限り、いわゆる照明器具のシェード用途に限定されず、照明器具の反射板にも、また自然光の採光用途にも、その他照明のための光源または採光のための光源からの光の遮光や透過光量の制限された透光を目的としたあらゆる用途に用いることができる。
【発明の効果】
【００１３】
本発明のシェード構造およびその製造方法は上述のように構成されているため、これを照明器具に用いて、光装飾効果等の点で意匠性が高く、曲面からなる造形を構成しやすいシェード構造を、一枚の板状材料と一度の加工工程を要するのみであるという、簡易かつ低コストの方法により得ることができる。さらに透過光量の調節が可能なように本シェード構造を構成することができることとも相まって、装飾性、独創性に富んだ照明器具を実現することができる。また本シェード構造は照明器具のみならず、たとえば建築物において自然光を採光する箇所等に適用し、かかる採光における装飾性、意匠性を演出する等の目的に用いて効果を上げることも可能である。
【発明を実施するための最良の形態】
【００１４】
以下、本発明を図面により詳細に説明する。
図１は、本発明のシェード構造の断面構成を示す説明図である。図において本シェード構造１０は、照明のための光源または採光のための光源からの光を遮光あるいは、透過光量の制限された透光をするものであって、光を透す部分である透光性部Ｔ１、Ｔ２、Ｔ３等と、光を透さない部分である非透光性部Ｎ１、Ｎ２等とを有する一枚の板状材料５からなることを、主たる構成とする（請求項１）。本発明のシェード構造は既に述べたように、照明器具での実施を主として想定しているものであるが、これに限定されず、一枚の板状材料５内において透光性部Ｔ１等と非透光性部Ｎ１等とが設けられていることにより光の透過度合いのパターンを形成できる構成であるところに、本質的な特徴を有する。したがって本シェード構造１０がその遮光の対象とする光は、照明器具における電球等の人工光源のみならず、たとえば建築物の窓や天井等から採光することのできる自然光源（端的には日光）も、その対象からは除外されない。
【００１５】
本発明のシェード構造１０において遮光とは、完全に光を遮ることを意味するのではなく、照明または採光のための光源からの光を受けて、前記非透光性部Ｎ１等においてはその光を透過させず、一方前記透光性部Ｔ１等においてはその光を少なくとも視認される程度あるいはそれ以上の光を透過させることを意味する。該透光性部Ｔ１等における光の透過の度合いは特に限定されず、たとえば照明器具用としても、あるいは太陽光の採光用のシェード構造としても、白色光の透過率について、適宜の数値範囲を選択、設定することができる。
【００１６】
板状材料５としては、木材、合成樹脂など、切削加工など適宜の加工方法によって透光性部Ｔ１等と非透光性部Ｎ１等を一枚の板状材料上において形成することのできるものであれば、特に限定されずあらゆる材質のものを用いることができる。木材を用いる場合、樹木の種類、年齢、原木か端材等か、などに限定されない。
【００１７】
図において本シェード構造１０は上述のように構成されるため、これにより照明のための光源または採光のための光源からの光が遮光される、あるいは透過光量の制限された透光がなされる。光の透過は、光の入射を受けた透光性部Ｔ１、Ｔ２、Ｔ３等によりなされ、一方非透光性部Ｎ１、Ｎ２等においては、これに入射した光は透過されない。したがって本シェード構造１０に入射した光のうち、透光性部Ｔ１、Ｔ２、Ｔ３等に入射した光は光源等と反対側に透過し、一方非透光性部Ｎ１、Ｎ２等に入射した光は光源等と反対側に透過せず、形成される透光性部の形状パターン（非透光性部の形状パターンともいえる）の反映された光の透過がなされる。
【００１８】
図において本シェード構造１０は、前記板状材料５の透光性部Ｔ１、Ｔ２、Ｔ３等は、その断面厚さが前記非透光性部Ｎ１、Ｎ２等の断面厚さと比べて小さく、すなわち薄く形成されていることにより透光性を呈させることができる（請求項２）。透光性の発現は定性的には、板状材料５の材質とその厚さ（薄さ）に依存するので、本シェード構造１０は板状材料５の材質に応じて必要な厚さ（薄さ）に該透光性部Ｔ１、Ｔ２、Ｔ３等を形成することにより、透光性を得ることができる。また透過光量も同様に、板状材料５の材質とその厚さ（薄さ）に依存するので、本シェード構造１０は板状材料５の材質に応じて必要な厚さ（薄さ）に該透光性部Ｔ１、Ｔ２、Ｔ３等を形成することにより、所望の透過光量すなわち明るさの透過光を得ることができる。また透過する光の演色性は、板状材料５の材質に依存するので、適宜の材質を採用することによって、所望の色の透過光を得ることができる。たとえば色彩を有する半透明の合成樹脂を板状材料５に用いれば、その色彩が加味された透過光を得ることができ、また木材を板状材料５に用いて透光性部Ｔ１、Ｔ２、Ｔ３等を形成すれば、自然の木材の呈する色彩の加味された透過光を得ることができる。
【００１９】
図において本シェード構造１０は、前記材質の如何に応じ、前記透光性部Ｔ１、Ｔ２、Ｔ３等における板状材料５の薄さを、該透光性部Ｔ１、Ｔ２、Ｔ３等において該板状材料５を撓ませるのに充分な薄さとすることができる（請求項３）。該板状材料５の材質によっては、形成される該透光性部Ｔ１、Ｔ２、Ｔ３等はその薄さによって充分に該板状材料５を撓ませることができる場合があるが、そうでない場合には、該透光性部Ｔ１、Ｔ２、Ｔ３等をさらに薄くして、撓みやすくすることができる。撓ませることができることによって、該板状材料５を湾曲させる加工が容易に可能となり、特別の装置を用いることなく曲面を形成して、本シェード構造１０を利用した照明器具等における形状加工を容易に行うことができる。たとえば該透光性部Ｔ１、Ｔ２、Ｔ３等を直線状に設ければ、該透光性部を山部とするように板状材料５を曲げることができ、一定方向に平行に複数の透光性部を連続して設ければ、該板状材料５の側面方向から見て多角形状、あるいは略円弧状の形状に、該板状材料５を湾曲させることができる。湾曲させた該板状材料５は、適宜の固定手段によりその形状を固定することにより、本シェード構造１０を利用した照明器具等における形状を確定することができる。つまり板状材料５を湾曲させたい場合、湾曲させたい方向に対して直行方向にこの加工を施すことにより湾曲が容易となるため、切削加工後の湾曲加工も可能である。
【００２０】
本発明のシェード構造１０は、その板状材料５として特に木材を用いることができる（請求項４）。木材の種類は特に限定されず、切削加工等により前記透光性部を形成することのできるものであれば、針葉樹、広葉樹等の樹種、樹木の年齢、原木であるか端材など何らかの処理を経たものであるか、等に係わらずあらゆる種類のものを用いることができる。たとえば、スギ、アカマツ、クロマツ、ヒバ、カラマツ、エゾマツ、サワラ、イチイ、コウヤマキ、イヌマキ、ヒノキ、ツガ、ヒメコマツ、モミ、トドマツ、ネズコ、カヤ、イチョウ、トガサワラ等の国産針葉樹、ブナ、ミズナラ、ケヤキ、サクラ、カツラ、クスノキ、トチノキ、クリ、キリ、ハンノキ、シラカバ等の国産広葉樹、ベイツガ、ベイマツ、チークその他の外国産樹種を、特に限定されずに使用することができる。
【００２１】
図２は、本発明のシェード構造について別の断面構成を示す説明図である。図において本シェード構造２０は、照明のための光源または採光のための光源からの光を遮光あるいは、透過光量の制限された透光をするものであって、光を透す部分である透光性部Ｔ２１、Ｔ２２、Ｔ２３等と、光を透さない部分である非透光性部Ｎ２１、Ｎ２２等とを有する一枚の板状材料２５からなり、該透光性部Ｔ２１、Ｔ２２等はその全部または一部を、一様の厚さとするのではなく、適宜用途に応じて、その厚さが連続的にまたは非連続的に変化している構成とすることができることを特徴とし、それ以外は図１により説明した発明の構成と同様である。厚さに連続的または非連続的な変化を設ける具体的構成は、透光性部Ｔ２２のように連続的、傾斜状に厚さの変化が設けられた構造や、透光性部Ｔ２３のように非連続的、階段状に変化が設けられた構造により得ることができる。
【００２２】
図において本シェード構造２０はかかる構成をとるため、たとえば、木材やその他の天然素材のように板状材料に節部や年輪などあるいは色合いの異なる木部など、透光性に影響を及ぼす不規則性が存在し、なおかつ均一な透過光量（明るさ）の得られる透光性が求められる場合、そのような透光性に影響を及ぼす部分においては、より薄い厚さとすることによって、所望の透光性を得ることができる。つまり、材種の違いによる透過光量の違いにも、たとえば切削加工により透光性部として残す厚さを調節することで対応可能となる。また、たとえば切削加工によって透光性部を形成する場合に、薄く残す部分である透光性部Ｔ２２等の厚さを任意に変えることができるため、透光性部の中においても自在に透過光量を調節することができる。このため、同一平面において任意の形状で光の明暗を段階的あるいは無段階的に演出することができ、微妙なニュアンスを表現できるなど、装飾的効果を一層高めることができる。
【００２３】
上述したようなシェード構造は、適宜の板状材料の表面において、前記透光性部および前記非透光性部とする領域をたとえば線画を該板状材料上に付すことにより画定し、これに基づいて、適宜の装置を用いた切削加工を施すことによって該透光性部を形成することにより、得ることができる（請求項５）。つまり、本発明のシェード構造製造方法では、形状の画定を行った後は、一枚の板から透過させたい形状を切削加工することによって、一回の連続操作での加工手順により任意の透光性形状を作り出すことができる。これにより、従来行われてきた光透過性素材と光非透過性素材の双方を合わせ用いる必要がないため、部品点数・工程数を減じることができ、製造工程がより簡素となり、それによる製造コスト低減も図ることができる。また、従来の板状材料のスライス方式と異なり薄く残す厚さを任意に変えることができるため透過光量を調節できること、切削加工後の湾曲加工も可能であることは、上述のとおりである。
【実施例】
【００２４】
上述したシェード構造を有するシェードと照明のための光源を合わせ用いることにより、照明器具を構成することができるが、下記に実施例を示す。
【００２５】
＜実施例４  木製照明器具の製作＞
機械切削加工によりシェード構造を有するシェードを製作し、これと照明用光源を組み合わせて照明器具を製作した。
図３は、製作した照明器具の斜視図である。図において、本照明器具は、透光性部が形成された一枚の板状材料によって作られた本発明のシェード構造を用いたフロントシェードを有するとともに、同じくシェード構造を用いた反射板を有する。該透光性部は、該板状材料上において略格子状に形成されているが、格子目の大きさ、その縦横のサイズ、非透光性部の幅等は、本実施例に関わらず適宜形状に設計することができることはいうまでもない。また、該透光性部の断面薄さは該板状材料を撓ませることができる程度に形成されているが、これにより、該板状材料は撓ませて湾曲させることが容易にでき、フロントシェード、反射板ともに、光源を囲む、側面視略半円状に湾曲した形状に構成されている。
【００２６】
用いられているシェード構造上において形成されている該透光性部の形状（格子模様）は、本照明器具において光源を点灯するとその形状が該シェード構造上に明るく映し出されて、装飾的な照明効果を得ることができる。該反射板上において形成される該透光性部の形状（格子模様）は、本照明器具において光源を点灯するとその形状が照明器具背面を構成する該反射板の裏面上に明るく映し出され、また透光性部と非透光性部の厚さの相違により生じる光の反射・吸収程度の相違により、照明器具表面方向への反射光は趣のあるものとなり、装飾的な照明効果を得ることができる。本照明器具は装飾的な屋内照明用、あるいは屋外照明用として用いることができる。
【産業上の利用可能性】
【００２７】
本発明のシェード構造およびその製造方法は上述のように構成されているため、これを照明器具に用いて、光装飾効果等の点で意匠性が高く、曲面からなる造形を構成しやすいシェード構造を、一枚の板状材料と一度の加工工程を要するのみであるという簡易かつ低コストの方法により得ることができ、産業上の利用性が高い。さらに透過光量の調節が可能なように本シェード構造を構成することができることとも相まって、装飾性、独創性に富んだ照明器具を実現することができ、産業上の利用性が高い。また本シェード構造は照明器具のみならず、たとえば建築物において自然光を採光する箇所等に適用し、かかる採光における装飾性、意匠性を演出する等の目的に用いて効果を上げることも可能であり、その点でも産業上の利用可能性がある。
【図面の簡単な説明】
【００２８】
【図１】本発明のシェード構造の断面構成を示す説明図である。
【図２】本発明のシェード構造について別の断面構成を示す説明図である。
【図３】本発明に係る照明器具の実施例の斜視図である。
【符号の説明】
【００２９】
５、２５…板状材料
１０、２０…シェード構造
Ｔ１、Ｔ２、Ｔ３、Ｔ４、Ｔ２１、Ｔ２２、Ｔ２３、Ｔ２４…透光性部
Ｎ１、Ｎ２、Ｎ３、Ｎ２１、Ｎ２２、Ｎ２３…非透光性部
【図１】
2005216836.tif 000003
【図２】
2005216836.tif 000004
【図３】
2005216836.tif 000005